(57)【要約】【課題】外装改修用治具を設置するにあたって既設折板にビス等の固定具を貫入する必要がなくなって切削粉の発生をほとんど無いようにすることができ、屋内での営業や操業に支障が生じたり屋内を汚したりするのを極めて少なくすることができる外装改修用治具を提供する。【解決手段】既設折板５０の表面に設置される基台１と、前記既設折板５０の上方に配置される新設折板４４を固定する固定部２とを備える外装改修用治具に関する。前記基台１は係止部３を備える。前記係止部３は前記既設折板５０を固定している固定具４１に係止可能に形成される。基台１を固定具４１に係止することにより外装改修用治具Ａを既設折板５０の表面に設置することができ、既設折板５０及びタイトフレームにビス等の固定具を貫入する必要がなくなる。【選択図】図１
2013167149.tif 000002
【特許請求の範囲】
【請求項１】
既設折板の表面に設置される基台と、前記既設折板の上方に配置される新設折板を固定する固定部とを備える外装改修用治具であって、前記基台は係止部を備え、前記係止部は前記既設折板を固定している固定具に係止可能に形成されて成ることを特徴とする外装改修用治具。
【請求項２】
前記基台はその下部が略円盤状に形成され、前記既設折板の表面に回転可能に設置されることを特徴とする請求項１に記載の外装改修用治具。
【請求項３】
前記係止部は、前記固定具の周面に形成されたネジ部に係止される複数の係止片を備えて形成されて成ることを特徴とする請求項１又は２に記載の外装改修用治具。
【請求項４】
前記基台には前記新設折板の山部の裏面に沿って当接可能な補強部が形成されて成ることを特徴とする請求項１乃至３のいずれか一項に記載の外装改修用治具。
【請求項５】
前記基台には前記既設折板の表面に当接可能な支持部が形成されて成ることを特徴とする請求項１乃至４のいずれか一項に記載の外装改修用治具。
【請求項６】
既設折板の上方に新設折板を配置することにより形成される外装改修構造であって、前記既設折板には外装改修用治具が設けられ、この外装改修用治具は前記既設折板の表面に設置される基台と、前記新設折板を固定する固定部とを備えてなり、前記基台は係止部を備え、前記係止部は前記既設折板を固定している固定具に係止されて成ることを特徴とする外装改修構造。
【発明の詳細な説明】
【技術分野】
【０００１】
本発明は、経年劣化した屋根や壁などを改修する際に用いる外装改修治具及びこれを用いた外装改修構造に関するものである。
【背景技術】
【０００２】
従来より、屋根や壁などの外装を折板（ルーフデッキやデッキプレートなども含む）で形成することが行われているが、折板には経年劣化により錆が発生したり破損したりする場合がある。このような錆びたり破損したりしている既設の折板を撤去した後に、新設の折板を新たに施工するようにして外装を改修すると、改修をしている間は屋内での営業や操業を中断しなければならず、不便であった。そこで、既設の折板を撤去せずに残した状態で、新設の折板を施工することにより屋根等の改修が行われている（例えば、特許文献１参照）。
【０００３】
特許文献１には、折板で形成される既設屋根の上に複数個の外装改修用治具を固定し、この外装改修用治具に新設折板を取り付けることにより、既設屋根の全体を新設折板で上方から覆うようにして改修することが記載されている。この場合では、既設屋根を形成している既設折板を撤去することなく、新設折板を施工することができるので、改修の間でも屋内での営業や操業を中断する必要がなくなるものである。
【先行技術文献】
【特許文献】
【０００４】
【特許文献１】特開２００９−６２６８４号公報
【発明の概要】
【発明が解決しようとする課題】
【０００５】
しかし、特許文献１に記載の方法では、外装改修用治具を既設折板にビス等の固定具を用いて固定しているために、固定具を既設折板及びその下側にあるタイトフレームに貫入する際に生じる切削粉（切粉）が屋内に落下し、屋内での営業や操業に支障が生じたり屋内を汚したりするおそれがあった。
【０００６】
具体的には、図１８に示すような外装改修用治具８０を用いた改修構造を例示することができる。既設折板５０の山部３３には外装改修用治具８０が取り付けられている。また、この外装改修用治具８０の上部に新設折板４４を固定するようにして、既設折板５０の上方に新設折板４４を配設するようにしている。そして、上記の外装改修用治具８０には山部３３の両側の傾斜面部３５の表面に固定具８１により固定される固着片８２が設けられており、固着片８２は、その表面から固定具８１をねじ込み、既設折板５０の傾斜面部３５とその下側のタイトフレーム３８にまで固定具８１を貫入することによって、既設折板５０及びタイトフレーム３８に固定される。従って、固定具８１を貫入する際に、切削粉（切粉）Ｄが屋内に落下し、屋内での営業や操業に支障が生じたり屋内を汚したりするものであった。
【０００７】
本発明は上記の点に鑑みてなされたものであり、屋内での営業や操業に支障が生じたり屋内を汚したりするのを極めて少なくすることができる外装改修用治具及び外装改修構造を提供することを目的とするものである。
【課題を解決するための手段】
【０００８】
本発明に係る外装改修用治具は、既設折板の表面に設置される基台と、前記既設折板の上方に配置される新設折板を固定する固定部とを備える外装改修用治具であって、前記基台は係止部を備え、前記係止部は前記既設折板を固定している固定具に係止可能に形成されて成ることを特徴とするものである。
【０００９】
本発明にあって、前記基台はその下部が略円盤状に形成され、前記既設折板の表面に回転可能に設置されていることが好ましい。
【００１０】
本発明にあって、前記係止部は、前記固定具の周面に形成されたネジ部に係止される複数の係止片を備えて形成されていることが好ましい。
【００１１】
本発明にあって、前記基台には前記新設折板の山部の裏面に沿って当接可能な補強部が形成されていることが好ましい。
【００１２】
本発明にあって、前記基台には前記既設折板の表面に当接可能な支持部が形成されていることが好ましい。
【００１３】
本発明に係る外装改修構造は、既設折板の上方に新設折板を配置することにより形成される外装改修構造であって、前記既設折板には外装改修用治具が設けられ、この外装改修用治具は前記既設折板の表面に設置される基台と、前記新設折板を固定する固定部とを備えてなり、前記基台は係止部を備え、前記係止部は前記既設折板を固定している固定具に係止されて成ることを特徴とするものである。
【発明の効果】
【００１４】
本発明においては、基台を固定具に係止することにより外装改修用治具を既設折板の表面に設置することができ、外装改修用治具を設置するにあたって既設折板及びタイトフレームにビス等の固定具を貫入する必要がなくなって切削粉の発生をほとんど無いようにすることができ、屋内での営業や操業に支障が生じたり屋内を汚したりするのを極めて少なくすることができるものである。
【図面の簡単な説明】
【００１５】
【図１】本発明の外装改修構造の実施の形態の一例を示す一部の断面図である。
【図２】本発明の外装改修用治具の実施の形態の一例を示し、（ａ）は底面図、（ｂ）は正面図、（ｃ）は側面図である。
【図３】本発明の外装改修用治具の実施の形態の一例を示す斜視図である。
【図４】折板の一例を示す斜視図である。
【図５】折板の施工方法の一例を示す斜視図である。
【図６】本発明の外装改修構造の他の実施の形態の一例を示す一部の断面図である。
【図７】本発明の外装改修用治具の他の実施の形態の一例を示す斜視図である。
【図８】本発明の外装改修用治具の他の実施の形態の一例を示し、（ａ）は平面図、（ｂ）は正面図、（ｃ）は側面図である。
【図９】本発明の外装改修用治具の他の実施の形態の一例を示し、（ａ）は平面図、（ｂ）は正面図、（ｃ）は側面図である。
【図１０】本発明の外装改修構造の他の実施の形態の一例を示す一部の断面図である。
【図１１】本発明の外装改修用治具の他の実施の形態の一例を示し、（ａ）は正面図、（ｂ）は斜視図である。
【図１２】本発明の外装改修構造の他の実施の形態の一例を示す一部の断面図である。
【図１３】本発明の外装改修用治具の他の実施の形態の一例を示し、（ａ）は正面図、（ｂ）は側面図である。
【図１４】本発明の外装改修構造の他の実施の形態の一例を示す一部の断面図である。
【図１５】（ａ）は本発明の外装改修構造の他の実施の形態の一例を示す一部の断面図、（ｂ）は本発明の外装改修用治具の他の実施の形態の一例を示す側面図である。
【図１６】他の折板の一例を示す斜視図である。
【図１７】本発明で用いる係止部材の動作を示し、（ａ）は平面図、（ｂ）は底面図である。
【図１８】従来例を示す概略の断面図である。
【発明を実施するための形態】
【００１６】
以下、本発明を実施するための形態を説明する。
【００１７】
図２及び３に外装改修用治具Ａの実施の形態の一例を示す。この外装改修用治具Ａは、基台１、固定部２、係止部３等を備えて形成されている。
【００１８】
基台１は熱間圧延鋼板などの鋼板を曲げ加工するなどして形成されるものであって、取付部材１０と支持部材２０とを備えて形成されている。
【００１９】
取付部材１０は略円盤状に形成されている。また取付部材１０は断面が略ハット型に形成されている。すなわち、取付部材１０は、平面視が略円形の円盤部１００と、円盤部１００の周端から略鉛直下方に向かって突出する側壁部１０１と、側壁部１０１の下端から略水平に外方（円盤部１００と反対側）に向かって突出する載置部１０２とを備えて形成されている。側壁部１０１は円盤部１００の全周にわたって形成されている。また載置部１０２は側壁部１０１の全周にわたって設けられている。
【００２０】
支持部材２０は、平面視で矩形状の頂面部２１と、一対の連結部２２とを備えて形成されている。一対の連結部２２は頂面部２１の下側において互いに対向して配置されている。また、各連結部２２は頂面部２１の端部から下方に向かって折り曲げ加工等することにより形成されている。連結部２２は、頂面部２１の端部（側端部）から略鉛直下方に突出する垂下部２４と、垂下部２４の先端（下端）から外側下方に向かって略水平に突出する結合部２５とを備えて形成されている。
【００２１】
支持部材２０は取付部材１０の上側に取り付けられて基台１が形成される。この場合、取付部材１０の円盤部１００の上に支持部材２０の結合部２５を載置し、円盤部１００と結合部２５とをリベット等の固定具４８で結合するようにする。
【００２２】
固定部２は基台１の支持部材２０に設けられている。固定部２は剣先ボルトなどのボルト７０で形成することができ、支持部材２０の頂面部２１の略中央部に上方に突出するようにして設けられている。
【００２３】
係止部３は基台１の取付部材１０に設けられている。係止部３は基台１に係止部材（スピードナットと称されることがある）４９を取り付けることによって形成することができる。係止部材４９はステンレス鋼板などの金属板を折り曲げ加工等することにより形成することができる。係止部材４９には平面視で長方形の平板の略中央部に上下方向（厚み方向）に貫通する挿入孔２７が形成されている。また、係止部材４９には一対（複数）の係止片２８が設けられている。係止片２８は挿入孔２７の周縁部から挿入孔２７の上側の中央部の方に向けて斜め上方に突出するように形成されている。また、一対の係止片２８は係止部材４９の長手方向において互いに対向するように形成されている。このような一対の係止片２８により係止部３が形成されている。また、係止部材４９には補強片１０３が設けられている。補強片１０３は係止部材４９の長手端部から上方に突出するように形成されている。また補強片１０３は挿入孔２７を挟んで両側に設けられている。係止部材４９は取付部材１０の円盤部１００の上面に取り付けられている。ここで、円盤部１００の略中央部には上下方向（厚み方向）に貫通する貫通孔２９が形成されており、係止部材４９はその挿入孔２７と円盤部１００の貫通孔２９とを上下に重ねるようにして配置されている。また、係止部材４９は長手方向の両端部を円盤部１００と支持部材２０の結合部２５との間に挟持することにより固定されている。この場合、上記固定部４８は係止部材４９の側端部を厚み方向に貫通している。尚、係止部材４９は取付部材１０及び支持部材２０と一体化されており、取付部材１０や支持部材２０に対して不動である。
【００２４】
このような外装改修用治具Ａを用いて工場や家屋などの建物の既設の外装を改修するにあたっては、次のようにして行う。
【００２５】
改修の対象となる外装としては屋根や壁などの外装であって、塗装鋼板やガルバリウム鋼板（登録商標）などの金属板をロール成形等して形成される折板３１を例示することができる。折板３１としては図４に示すように、複数の谷部３２と複数の山部３３とが交互に繰り返して形成されているものを用いることができる。谷部３２は折板３１の前後方向に長い矩形板状に形成されている。山部３３は山頂面部３４と一対の傾斜面部３５とで形成されている。山頂面部３４は折板３１の前後方向に長い矩形板状に形成されている。傾斜面部３５はその上端が山頂面部３４の側端部と全長にわたって一体に形成されており、傾斜面部３５の下端は谷部３２の側端部と全長にわたって一体に形成されている。また、傾斜面部３５は上端から下端に向かって下り傾斜するように形成されている。また、折板３１の両側端部には半山部３６が形成されている。半山部３６は山頂面部３４の内側の側端部に上記と同様の傾斜面部３５が形成され、山頂面部３４の外側の側端部に接続片４２が全長にわたって一体に形成されることで構成されている。接続片４２は傾斜面部３５よりも短い寸法で山頂面部３４の側端部から斜め下方に向けて突設されている。また、上記の山頂面部３４には厚み方向で貫通する孔部７１が所定の間隔を介して複数個設けられている。
【００２６】
このような折板３１は、図５に示すように、タイトフレーム３８により屋根の梁などの構造体３７に固定されている。タイトフレーム３８は鋼板等の金属板の矩形板材を折り曲げ加工等することにより形成されている。タイトフレーム３８は山部３９と谷部４０とが交互に繰り返して形成されている。また、山部３９の頂部には上方に突出する固定具４１が設けられている。この固定具４１としては上端が尖った剣先ボルトなどを用いることができる。
【００２７】
そして、上記の折板３１は以下のようにして施工される。まず、構造体３７の上にタイトフレーム３８を取り付ける。この場合、タイトフレーム３８の谷部４０を構造体３７に溶接等で固定する。次に、複数枚の折板３１を構造体３７の上方に配設する。この場合、折板３１は山部３９及び谷部４０の長手方向が屋根の傾斜方向（例えば、軒棟方向）と略平行になるように配設される。また、屋根の傾斜方向と直交方向する方向で隣接する折板３１は半山部３６同士が接続されている。この場合、一方の折板３１の半山部３６の山頂面部３４と他方の折板３１の半山部３６の山頂面部３４とが上下に重ねられる。また、上側に重ねた山頂面部３４に形成された接続片４２が、下側に重ねた山頂面部３４に形成された傾斜面部３５の外面に配置される。そして、折板３１の山部３３の山頂面部３４に設けた孔部７１にタイトフレーム３８の固定具４１の上部を下から上へと差し込んで貫通させ、山頂面部３４の表面（上面）に突出した固定具４１の上部にナット等の締結具４３を螺合して締め付ける。このとき、図1及び図５に示すように、締結具４３と既設折板５０の山頂面部３４の表面との間にはパッキン付きワッシャ７６を設ける。パッキン付きワッシャ７６は固定具４１に装着されており、締結具４３の締め付けにより、下面のパッキンが孔部７１の周縁部において山頂面部３４の表面と密着することになる。従って、孔部７１の防水性を高めることができる。このようにして折板３１をタイトフレーム３８に固定すると、折板３１の山部３３の下側にタイトフレーム３８の山部３９が位置し、折板３１の谷部３２の下側にタイトフレーム３８の谷部４０が位置する状態となる。
【００２８】
本発明では、上記のように施工される折板３１が経年劣化等した場合、この折板３１を既設折板５０とし、上記外装改修用治具Ａと新設折板４４とを用いて改修するものである。図１に示すように、外装改修用治具Ａは既設折板５０の表面に設置される。このとき、外装改修用治具Ａは既設折板５０を固定する既設の固定具４１に取り付けられる。すなわち、既設折板５０の表面側（上側）に突出している固定具４１の上部を外装改修用治具Ａの貫通孔２９及び挿入孔２７に下側から差し込んで一対の係止片２８の間に位置させる。これにより、固定具４１の外周面に形成されたネジ部のネジ溝に係止片２８の先端が食い込んで係止されることになり、外装改修用治具Ａが固定具４１から容易に抜けないように係止して取り付けられる。このように外装改修用治具Ａはその貫通孔２９及び挿入孔２７に固定具４１を差し込むだけで既設折板５０の表面に取り付けることができ、手間をかけずに簡単に施工することができるものである。また、この外装改修用治具Ａは、その載置部１０２が既設折板５０の山頂面部３４に載置されて山頂面部３４の表面上に配設されるが、この状態で外装改修用治具Ａは、固定具４１を軸として回転可能に取り付けられている。
【００２９】
ここで、後述の他の実施の形態では、固定具４１の先端位置が既存折板５０の上面の桁行方向の中心にない場合に、外装改修用治具Ａを取り付けるには脚部１２が既存折板５０の傾斜面部３５と干渉する為、係止部材４９にスライド機構を設けていたが、基台１の形状を変更して脚部１２をなくした事で、外装改修用治具Ａ自体の位置決めに制約が無くなった。そのため、この実施の形態では係止部材４９のスライド機構が不要となり、外装改修用治具Ａのコストダウンに繋がるものである。この実施の形態において、既設折板５０の上側に突出している固定具４１の上部が、軸方向（鉛直方向）に対して曲がっていたり傾いていたりする場合は、固定具４１の上部の曲がり具合や傾き具合に応じて、外装改修用治具Ａ自体を前後左右に移動させることにより、固定具４１の上部を貫通孔２９及び挿入孔２７に貫通させて差し込むことができるものである。
【００３０】
このようにして複数の外装改修用治具Ａを既設折板５０の表面に設置した後、既設折板５０の上方に新設折板４４を配設する。新設折板４４は折板３１と同様のものを用いることができる。また新設折板４４は既設折板５０と同様に、その山部３３及び谷部３２の長手方向が屋根の傾斜方向と略平行になるように配設される。また、屋根の傾斜方向と直交方向する方向で隣接する新設折板４４は既設折板５０と同様に、その半山部３６同士が接続されている。そして、新設折板４４はその山部３３の下側に、既設折板５０に設けた外装改修用治具Ａが位置するように配置した後、新設折板４４の山部３３の山頂面部３４に設けた孔部７１に外装改修用治具Ａの固定部２を下から上へと差し込んで貫通させ、山頂面部３４の表面（上面）に突出した固定部２の上部にナット等の締結具４５を螺合して締め付ける。このとき、図１に示すように、締結具４５と新設折板４４の山頂面部３４の表面との間には上記と同様のパッキン付きワッシャ７６を設ける。このパッキン付きワッシャ７６は固定部２に装着されており、締結具４５の締め付けにより、下面のパッキンが孔部７１の周縁部において山頂面部３４の表面と密着することになる。従って、孔部７１の防水性を高めることができる。このようにして外装改修用治具Ａに新設折板４４を固定して取り付けることができる。
【００３１】
ここで、新設折板４４を付設する際に、外装改修用治具Ａの固定部２の上部に締結具４５を締め付けするにあたって、上記のように、外装改修用治具Ａは既存折板５０の山頂面部３４上で回転可能に載置されているため、固定部２と締結具４５との摩擦によって、外装改修用治具Ａ自体が共回りするケースがある。その時に、新設折板４４が葺かれた後に正圧方向の力（積雪荷重、作業者の体重等）が加わった場合、外装改修用治具Ａの取付部材１０に方向性があると、その力が既設折板５０にそのまま伝わらず、外装改修用治具Ａが傾いたりする事が想定される。そこで、取付部材１０の形状を平面視で略円形にして方向性を無くす事で、外装改修用治具Ａがどの方向を向いても山頂面部３４に力が略均等に伝わるようにすることができる。
【００３２】
このようにして既設折板５０で形成される既設屋根を新設折板４４で形成される新設屋根で全面にわたって覆って見えないようにすることができ、劣化した既設折板５０を新設折板４４で改修することができる。そして、本発明では、基台１を固定具４１に係止することにより外装改修用治具Ａを既設折板５０の表面に設置することができ、外装改修用治具Ａを設置するにあたって既設折板５０及びタイトフレーム３８にビス等の固定具を貫入する必要がなくなって切削粉の発生をほとんど無いようにすることができる。従って、屋内での営業や操業に支障が生じたり屋内を汚したりするのを極めて少なくすることができる。尚、新設折板４４と既設折板５０との間にロックウールなどの断熱材を設けて屋根の断熱性を向上させても良い。
【００３３】
図７及び８に外装改修用治具Ａの実施の形態の一例を示す。この外装改修用治具Ａは、基台１、固定部２、係止部３等を備えて形成されている。
【００３４】
基台１は熱間圧延鋼板などの鋼板を曲げ加工するなどして形成されるものであって、取付部材１０と支持部材２０とを備えて形成されている。
【００３５】
取付部材１０は、平面視で矩形状の基板部１１と、一対の脚部１２と、一対の支持部１３とを備えて形成されている。一対の脚部１２は基板部１１の下側において互いに対向して配置されている。また、各脚部１２は基板部１１の端部（側端部）から下方に向かって折り曲げ加工等することにより形成されている。脚部１２は、基板部１１の端部（側端部）から外側下方（基板部１１と反対側の下方）に向かって突出する取付部１４と、取付部１４の先端（下端）から略鉛直下方に突出する延出部１５と、延出部１５の先端（下端）から外側下方に向かって突出する設置部１６と、設置部１６の先端（下端）からさらに外側下方に向かって突出する先端部１７とを備えて形成されている。また、支持部１３は脚部１２が形成されていない基板部１１の二つの端部（前端部と後端部）に一つずつ設けられている。支持部１３は固着部１８と固着部１８の先端（下端）から略水平に突出する当接部１９とを備えて形成されている。そして、支持部１３は固着部１８の上端を基板部１１の端面（前端面と後端面）に固着して基板部１１に固着されており、当接部１９は外側（基板部１１と反対側）に向いて略水平に突出されている。
【００３６】
支持部材２０は、平面視で矩形状の頂面部２１と、一対の連結部２２とを備えて形成されている。一対の連結部２２は頂面部２１の下側において互いに対向して配置されている。また、各連結部２２は頂面部２１の端部から下方に向かって折り曲げ加工等することにより形成されている。連結部２２は、頂面部２１の端部（側端部）から外側下方（頂面部２１と反対側の下方）に向かって突出する支え部２３と、支え部２３の先端（下端）から略鉛直下方に突出する垂下部２４と、垂下部２４の先端（下端）から外側下方に向かって突出する結合部２５とを備えて形成されている。そして、上記の頂面部２１と二つの支え部２３とで補強部２６が形成されている。
【００３７】
支持部材２０は取付部材１０の上側に取り付けられて基台１が形成される。この場合、取付部材１０の取付部１４の上に支持部材２０の結合部２５を載置し、取付部１４と結合部２５とをリベット等の固定具４８で結合するようにする。
【００３８】
固定部２は基台１の支持部材２０に設けられている。固定部２は剣先ボルトなどのボルト７０で形成することができ、支持部材２０の頂面部２１の略中央部に上方に突出するようにして設けられている。
【００３９】
係止部３は基台１の取付部材１０に設けられている。係止部３は基台１に係止部材（スピードナットと称されることがある）４９を取り付けることによって形成することができる。係止部材４９はステンレス鋼板などの金属板を折り曲げ加工等することにより形成することができる。係止部材４９には平面視で長方形の平板の略中央部に上下方向（厚み方向）に貫通する挿入孔２７が形成されている。また、係止部材４９には一対（複数）の係止片２８が設けられている。係止片２８は挿入孔２７の周縁部から挿入孔２７の上側の中央部の方に向けて斜め上方に突出するように形成されている。また、一対の係止片２８は係止部材の長手方向において互いに対向するように形成されている。このような一対の係止片２８により係止部３が形成されている。係止部材４９は取付部材１０の基板部１１の上面に取り付けられている。ここで、基板部１１の略中央部には上下方向（厚み方向）に貫通する貫通孔２９が形成されており、係止部材４９はその挿入孔２７と基板部１１の貫通孔２９とを上下に重ねるようにして配置されている。また、係止部材４９は長手方向の両端部をリベット等の固定具３０で基板部１１に取り付けられている。
【００４０】
ここで、図１７（ａ）に矢印で示すように、係止部材４９は横方向（一対の脚部１２が対向する方向）にスライド移動自在に基板部１１に取り付けられている。すなわち、図１７（ｂ）に示すように、基板部１１には貫通孔２９を挟んで両側に長孔７７が設けられている。この長孔７７は横方向に長く、かつ横方向に一直線上に並ぶように形成されている。また、長孔７７は基板部１１を厚み方向で貫通するように形成されている。そして、固定具３０は係止部材４９と一体的に形成されており、長孔７７の上側から固定具３０の下部を差し込んだ後、長孔７７の下側で固定具３０の下端を押しつぶして長孔７７の側縁部に係止することにより、固定具３０が長孔７７から抜けないようにしている。このようにして係止部材４９を基板部１１に取り付けると、固定具３０が長孔７７内で移動可能となり、係止部材４９が基板部１１の表面に対して横方向にスライド移動することができるものである。
【００４１】
このような外装改修用治具Ａを用いて工場や家屋などの建物の既設の外装を改修するにあたっては、次のようにして行う。
【００４２】
上記の実施の形態と同様に、改修の対象となる外装としては屋根や壁などの外装であって、塗装鋼板やガルバリウム鋼板（登録商標）などの金属板をロール成形等して形成される折板３１を例示することができる。折板３１としては図４に示すものと同様にである。このような折板３１は、図５に示すものと同様に、タイトフレーム３８により屋根の梁などの構造体３７に固定されている。尚、既設折板５０を構成する折板３１は上記と同様にして施工される。
【００４３】
そして、この実施の形態においても、上記と同様に、施工された折板３１が経年劣化等した場合、この折板３１を既設折板５０とし、上記外装改修用治具Ａと新設折板４４とを用いて改修するものである。図６に示すように、外装改修用治具Ａは既設折板５０の表面に設置される。このとき、外装改修用治具Ａは既設折板５０を固定する既設の固定具４１に取り付けられる。すなわち、既設折板５０の表面側（上側）に突出している固定具４１の上部を外装改修用治具Ａの貫通孔２９及び挿入孔２７に下側から差し込んで一対の係止片２８の間に位置させる。これにより、固定具４１の外周面に形成されたネジ部のネジ溝に係止片２８の先端が食い込んで係止されることになり、外装改修用治具Ａが固定具４１に容易に抜けないように係止固定される。このように外装改修用治具Ａはその貫通孔２９及び挿入孔２７に固定具４１を差し込むだけで既設折板５０の表面に取り付けることができ、手間をかけずに簡単に施工することができるものである。また、この外装改修用治具Ａは既設折板５０の山部３３を跨ぐようにして配置され、山部３３の両側方において、取付部材１０の脚部１２の設置部１６が山部３３の傾斜面部３５の上部の表面に設置される。これにより、屋根の傾斜方向と直交する方向において、外装改修用治具Ａを安定して配設することができる。また、外装改修用治具Ａを係止固定した固定具４１の前後位置において、外装改修用治具Ａの支持部１３の当接部１９が山頂面部３４の表面に設置される。これにより、屋根の傾斜方向において、外装改修用治具Ａを安定して配設することができる。
【００４４】
ここで、上述のように、図１７に示す係止部材４９はスライド移動自在に形成されているので、外装改修用治具Ａを既設折板５０に配設する際に作業を簡単に行うことができる。すなわち、既設折板５０の上側に突出している固定具４１の上部は、軸方向（鉛直方向）に真っ直ぐな場合だけでなく、曲がっていたり傾いていたりする場合がある。このときに、貫通孔２９と挿入孔２７の上下の位置が固定されていると、固定具４１が係止部３に当たるなどして貫通孔２９及び挿入孔２７を貫通するように差し込めないことがある。そこで、係止部材４９を横方向にスライド移動自在に形成することにより、固定具４１の上部の曲がり具合や傾き具合に応じて係止部材４９をスライド移動させて固定具４１の上部を貫通孔２９及び挿入孔２７に貫通させて差し込むことができるものである。従って、一対の係止片２８（係止部３）が確実に固定具４１の外周面に係止し、外装改修用治具Ａが安定するように配設しやすくなるものである。
【００４５】
このようにして複数の外装改修用治具Ａを既設折板５０の表面に設置した後、既設折板５０の上方に新設折板４４を配設する。新設折板４４は折板３１と同様のものを用いることができる。また新設折板４４は既設折板５０と同様に、その山部３３及び谷部３２の長手方向が屋根の傾斜方向と略平行になるように配設される。また、屋根の傾斜方向と直交方向する方向で隣接する新設折板４４は既設折板５０と同様に、その半山部３６同士が接続されている。そして、新設折板４４はその山部３３の下側に、既設折板５０に設けた外装改修用治具Ａが位置するように配置した後、新設折板４４の山部３３の山頂面部３４に設けた孔部７１に外装改修用治具Ａの固定部２を下から上へと差し込んで貫通させ、山頂面部３４の表面（上面）に突出した固定部２の上部にナット等の締結具４５を螺合して締め付ける。このとき、図６に示すように、締結具４５と新設折板４４の山頂面部３４の表面との間には上記と同様のパッキン付きワッシャ７６を設ける。このパッキン付きワッシャ７６は固定部２に装着されており、締結具４５の締め付けにより、下面のパッキンが孔部７１の周縁部において山頂面部３４の表面と密着することになる。従って、孔部７１の防水性を高めることができる。このようにして外装改修用治具Ａに新設折板４４を固定して取り付けることができる。また、外装改修用治具Ａの補強部２６である支え部２３は、新設折板４４の山部３３の上部において、傾斜面部３５の裏面（下面）に沿って当接するものであり、また、外装改修用治具Ａの補強部２６である頂面部２１は、新設折板４４の山部３３の山頂面部３４の裏面（下面）に沿って当接するものであり、補強部２６により山部３３の補強をすることができるものである。
【００４６】
このようにして既設折板５０で形成される既設屋根を新設折板４４で形成される新設屋根で全面にわたって覆って見えないようにすることができ、劣化した既設折板５０を新設折板４４で改修することができる。
【００４７】
そして、本発明では、基台１を固定具４１に係止することにより外装改修用治具Ａを既設折板５０の表面に設置することができ、外装改修用治具Ａを設置するにあたって既設折板５０及びタイトフレーム３８にビス等の固定具を貫入する必要がなくなって切削粉の発生をほとんど無いようにすることができる。従って、屋内での営業や操業に支障が生じたり屋内を汚したりするのを極めて少なくすることができる。尚、新設折板４４と既設折板５０との間にロックウールなどの断熱材を設けて屋根の断熱性を向上させても良い。
【００４８】
図９に外装改修用治具Ａの他の実施の形態を示す。この外装改修用治具Ａは、基台１、固定部２、係止部３等を備えて形成されている。
【００４９】
基台１は熱間圧延鋼板などの鋼板を曲げ加工するなどして形成されるものであって、取付部材１０と支持部材２０とを備えて形成されている。
【００５０】
取付部材１０は、平面視で矩形状の基板部１１と、一対の脚部１２と、一対の支持部１３とを備えて形成されている。一対の脚部１２は基板部１１の下側において互いに対向して配置されている。また、各脚部１２は基板部１１の端部（側端部）から下方に向かって折り曲げ加工等することにより形成されている。脚部１２は、基板部１１の端部（側端部）から外側（基板部１１と反対側）に向かって略水平に突出する取付部１４と、取付部１４の先端（下端）から略鉛直下方に突出する延出部１５と、延出部１５の先端（下端）から外側下方に向かって突出する設置部１６と、設置部１６の先端（下端）からさらに外側下方に向かって突出する先端部１７とを備えて形成されている。また、支持部１３は脚部１２が形成されていない基板部１１の二つの端部（前端部と後端部）に一つずつ一体に設けられている。支持部１３は固着部１８と固着部１８の先端（下端）から略水平に突出する当接部１９とを備えて形成されている。そして、固着部１８の上端は基板部１１の端面（前端面と後端面）から屈曲して基板部１１に一体に形成されており、当接部１９は外側（基板部１１と反対側）に向いて突出されている。
【００５１】
支持部材２０は、平面視で矩形状の頂面部２１と、一対の連結部２２とを備えて形成されている。一対の連結部２２は頂面部２１の下側において互いに対向して配置されている。また、各連結部２２は頂面部２１の端部から下方に向かって折り曲げ加工等することにより形成されている。連結部２２は、頂面部２１の端部（側端部）から外側下方（頂面部２１と反対側）に向かって突出する支え部２３と、支え部２３の先端（下端）から略鉛直下方に突出する垂下部２４と、垂下部２４の先端（下端）から外側に向かって略水平に突出する結合部２５とを備えて形成されている。そして、上記の頂面部２１と二つの支え部２３とで補強部２６が形成されている。
【００５２】
支持部材２０は取付部材１０の上側に取り付けられて基台１が形成される。この場合、取付部材１０の取付部１４の上に支持部材２０の結合部２５を載置し、取付部１４と結合部２５とを溶接等で結合するようにする。
【００５３】
固定部２及び係止部３は図７及び８に示すものと同様に形成することができる。
【００５４】
このような外装改修用治具Ａを用いて工場や家屋などの建物の既設の外装を改修するにあたっては、図６のものと同様に行うことができる。すなわち、図１０に示すように、外装改修用治具Ａは既設折板５０の表面に設置される。このとき、外装改修用治具Ａは既設折板５０を固定する既設の固定具４１に取り付けられる。つまり、既設折板５０の表面に突出している固定具４１の上部を外装改修用治具Ａの貫通孔２９及び挿入孔２７に下側から差し込んで一対の係止片２８の間に位置させる。これにより、固定具４１の外周面に形成されたネジ溝に係止片２８の先端が食い込んで係止されることになり、外装改修用治具Ａが容易に抜けないように固定具４１に係止固定される。また、この外装改修用治具Ａは既設折板５０の山部３３を跨ぐようにして配置され、山部３３の両側方において、取付部材１０の脚部１２の設置部１６が山部３３の傾斜面部３５の上部の表面に設置される。また、外装改修用治具Ａを係止固定した固定具４１の前後位置において、外装改修用治具Ａの支持部１３の当接部１９が山頂面部３４の表面に設置される。
【００５５】
このようにして複数の外装改修用治具Ａを既設折板５０の表面に設置した後、既設折板５０の上方に新設折板４４を配設する。そして、図６のものと同様に、新設折板４４はその山部３３の下側に、既設折板５０に設けた外装改修用治具Ａが位置するように配置した後、新設折板４４の山部３３の山頂面部３４に設けた孔部７１に外装改修用治具Ａの固定部２を下から上へと差し込んで貫通させ、山頂面部３４の表面（上面）に突出した固定部２にナット等の締結具４５を螺合して締め付ける。この際、図１０に示すように、上記と同様にして、締結具４５と新設折板４４の山頂面部３４の表面との間にパッキン付きワッシャ７６を設ける。このようにして外装改修用治具Ａに新設折板４４を固定して取り付けることができる。
【００５６】
図１１に外装改修用治具Ａの他の実施の形態を示す。この外装改修用治具Ａは、基台１、固定部２、係止部３等を備えて形成されている。
【００５７】
基台１は熱間圧延鋼板などの鋼板を曲げ加工するなどして形成されるものであって、取付部材１０と支持部材２０とを備えて形成されている。
【００５８】
取付部材１０は、平面視で矩形状の基板部１１と、基板部１１の端部（側端部）から外側下方（基板部１１と反対側の下方）に向かって突出する取付部１４と、一対の支持部１３とを備えて形成されている。支持部１３は取付部１４が形成されていない基板部１１の二つの端部（前端部と後端部）に一つずつ設けられている。支持部１３は固着部１８と固着部１８の先端（下端）から略水平に突出する当接部１９とを備えて形成されている。そして、固着部１８の上端を基板部１１の端面（前端面と後端面）に固着して基板部１１に固着されており、当接部１９は外側（基板部１１と反対側）に向いて突出されている。
【００５９】
支持部材２０は、平面視で矩形状の頂面部２１と、一対の脚部１２とを備えて形成されている。一対の脚部１２は頂面部２１の下側において互いに対向して配置されている。また、各脚部１２は頂面部２１の端部から下方に向かって折り曲げ加工等することにより形成されている。脚部１２は、頂面部２１の端部（側端部）から外側下方（頂面部２１と反対側）に向かって突出する支え部２３と、支え部２３の先端（下端）から略鉛直下方に突出する垂下部２４と、垂下部２４の先端（下端）から外側下方に向かって突出する結合部２５と、結合部２５の先端（下端）から略鉛直下方に突出する延出部１５と、延出部１５の先端（下端）から外側下方に向かって突出する設置部１６と、設置部１６の先端（下端）からさらに外側下方に向かって突出する先端部１７とを備えて形成されている。そして、上記の頂面部２１と二つの支え部２３とで補強部２６が形成されている。
【００６０】
取付部材１０は支持部材２０の一対の脚部１２の間に取り付けられて基台１が形成される。この場合、取付部材１０の取付部１４の上に支持部材２０の結合部２５を載置し、取付部１４と結合部２５とをリベット等の固定具４８で結合するようにする。
【００６１】
固定部２及び係止部３は図７及び８に示すものと同様に形成することができる。
【００６２】
このような外装改修用治具Ａを用いて工場や家屋などの建物の既設の外装を改修するにあたっては、図６のものと同様に行うことができる。すなわち、外装改修用治具Ａは既設折板５０の表面に設置される。このとき、外装改修用治具Ａは既設折板５０を固定する既設の固定具４１に取り付けられる。つまり、既設折板５０の表面に突出している固定具４１の上部を外装改修用治具Ａの貫通孔２９及び挿入孔２７に下側から差し込んで一対の係止片２８の間に位置させる。これにより、固定具４１の外周面に形成されたネジ溝に係止片２８の先端が食い込んで係止されることになり、外装改修用治具Ａが固定具４１に係止固定される。また、この外装改修用治具Ａは既設折板５０の山部３３を跨ぐようにして配置され、山部３３の両側方において、取付部材１０の脚部１２の設置部１６が山部３３の傾斜面部３５の上部の表面に設置される。また、外装改修用治具Ａを係止固定した固定具４１の前後位置において、外装改修用治具Ａの支持部１３の当接部１９が山頂面部３４の表面に設置される。
【００６３】
このようにして複数の外装改修用治具Ａを既設折板５０の表面に設置した後、既設折板５０の上方に新設折板４４を配設する。そして、図６のものと同様に、新設折板４４はその山部３３の下側に、既設折板５０に設けた外装改修用治具Ａが位置するように配置した後、新設折板４４の山部３３の山頂面部３４に設けた孔部７１に外装改修用治具Ａの固定部２を下から上へと差し込んで貫通させ、山頂面部３４の表面（上面）に突出した固定部２の上部にナット等の締結具４５を螺合して締め付ける。この際、上記と同様にして、締結具４５と新設折板４４の山頂面部３４の表面との間にパッキン付きワッシャ７６を設ける。このようにして外装改修用治具Ａに新設折板４４を固定して取り付けることができる。
【００６４】
図１２に外装改修構造の他の実施の形態を示す。ここで使用されている外装改修用治具Ａは、図１１に示す外装改修用治具Ａに対して、取付部材１０の取付部１４と支持部材２０の結合部２５との形状が異なるが、その他の構成は図１１に示すものと同様に形成されている。取付部材１０の取付部１４は、基板部１１の端部（側端部）から略鉛直下方に向かって突出するように形成されている。支持部材２０の結合部２５は、垂下部２４の先端（下端）から略鉛直下方に向かって突出するように形成されている。そして、取付部材１０の取付部１４の外面に支持部材２０の結合部２５の内面を当接させ、取付部１４と結合部２５とをリベット等の固定具４８で結合するものである。
【００６５】
このような外装改修用治具Ａを用いた図１２の外装改修構造は、図１１の外装改修用治具Ａを用いた場合と同様に形成することができる。
【００６６】
図１３に外装改修用治具Ａの他の実施の形態を示す。この外装改修用治具Ａは、基台１、固定部２、係止部３等を備えて形成されている。
【００６７】
基台１は熱間圧延鋼板などの鋼板を曲げ加工するなどして形成されるものであって、平面視で矩形状の頂面部２１と、一対の脚部１２とを備えて形成されている。一対の脚部１２は頂面部２１の下側において互いに対向して配置されている。また、各脚部１２は頂面部２１の端部から下方に向かって折り曲げ加工等することにより形成されている。脚部１２は、頂面部２１の端部（側端部）から外側下方（頂面部２１と反対側）に向かって突出する支え部２３と、支え部２３の先端（下端）から略鉛直下方に突出する垂下部２４と、垂下部２４の先端（下端）から外側下方に向かって突出する設置部１６と、設置部１６の先端（下端）からさらに外側下方に向かって突出する先端部１７とを備えて形成されている。そして、上記の頂面部２１と二つの支え部２３とで補強部２６が形成されている。また、基台１の上下方向の略中央部には基板部１１が設けられている。基板部１１は平面視で矩形状に形成され、その側端部には断面逆Ｕ字状の結合部２５が一体的に設けられている。そして、結合部２５の外側端部は垂下部２４に一体的に形成されている。
【００６８】
基板部１１の前端部には支持部１３が設けられている。支持部１３は固着部１８と固着部１８の先端（下端）から略水平に突出する当接部１９とを備えて形成されている。そして、固着部１８の上端を基板部１１の先端面に固着して基板部１１に固着されており、当接部１９は外側（基板部１１と反対側）に向いて突出されている。
【００６９】
固定部２及び係止部３は図７及び８に示すものと同様に形成することができる。
【００７０】
このような外装改修用治具Ａを用いて工場や家屋などの建物の既設の外装を改修するにあたっては、図６のものと同様に行うことができる。すなわち、図１４に示すように、外装改修用治具Ａは既設折板５０の表面に設置される。このとき、外装改修用治具Ａは既設折板５０を固定する既設の固定具４１に取り付けられる。つまり、既設折板５０の表面に突出している固定具４１の上部を外装改修用治具Ａの貫通孔２９及び挿入孔２７に下側から差し込んで一対の係止片２８の間に位置させる。これにより、固定具４１の外周面に形成されたネジ溝に係止片２８の先端が食い込んで係止されることになり、外装改修用治具Ａが容易に抜けないように固定具４１に係止固定される。また、この外装改修用治具Ａは既設折板５０の山部３３を跨ぐようにして配置され、山部３３の両側方において、取付部材１０の脚部１２の設置部１６が山部３３の傾斜面部３５の上部の表面に設置される。また、外装改修用治具Ａを係止固定した固定具４１の前後位置において、外装改修用治具Ａの支持部１３の当接部１９が山頂面部３４の表面に設置される。
【００７１】
このようにして複数の外装改修用治具Ａを既設折板５０の表面に設置した後、既設折板５０の上方に新設折板４４を配設する。そして、図６のものと同様に、新設折板４４はその山部３３の下側に、既設折板５０に設けた外装改修用治具Ａが位置するように配置した後、新設折板４４の山部３３の山頂面部３４に設けた孔部７１に外装改修用治具Ａの固定部２を下から上へと差し込んで貫通させ、山頂面部３４の表面（上面）に突出した固定部２にナット等の締結具４５を螺合して締め付ける。この際、図１１に示すように、上記と同様にして、締結具４５と新設折板４４の山頂面部３４の表面との間にパッキン付きワッシャ７６を設ける。このようにして外装改修用治具Ａに新設折板４４を固定して取り付けることができる。
【００７２】
図１５に他の実施の形態を示す。ここで使用されている外装改修用治具Ａは、図６に示す外装改修用治具Ａに対して、固定部２がボルト７０の代わりに吊子５１で形成されているものであり、その他の構成は図６に示すものと同様に形成されている。吊子５１は矩形板状に形成される接合片５５と、接合片５５の一端部から上方に向かって略垂直に突出する立ち上がり片５６と、立ち上がり片５６の先端に接合片５５とは反対側に突出する突出片５７と、突出片５７の先端からその下側に折り返して形成される係合片５８とを備えて形成されている。また、吊子５１は、基台１の頂面部２１に凹設された凹段部５９の底面に接合片５５をボルトナットなどの固定具７２で固定するようにして基台１に取り付けられている。立ち上がり片５６の上部と突出片５７と係合片５８は頂面部２１よりも上側に位置している。
【００７３】
また、吊子５１を備えた外装改修用治具Ａを用いる場合は、新設折板４４としては、馳折接続式の折板６０を用いるものである。この折板６０は、図１４に示すように、断面略Ｕ字状に形成されており、平板状の谷部６１と、その両方の側端部から斜め上方に向かって突出する山部半体６２ａ、６２ｂとを備えて形成されている。一方の山部半体６２ａは、谷部６１の一方の側端から外側方（谷部６１と反対側）の斜め上方に向かって突出する傾斜部６３と、この傾斜部６３の上端から外側方に向かって略水平に突出する頂部６４と、この頂部６４の端部から上方に向かって突出する断面略逆Ｕ字状の嵌合部６５とを備えて形成されている。他方の山部半体６２ｂは、谷部６１の一方の側端から外側方（谷部６１と反対側）の斜め上方に向かって突出する傾斜部６３と、この傾斜部６３の上端から外側方に向かって略水平に突出する頂部６４と、この頂部６４の端部から上方に向かって突出する断面略Ｌ字状の被嵌合部６６とから構成されている。
【００７４】
そして、上記の外装改修用治具Ａを用いて工場や家屋などの建物の既設の外装を改修するにあたっては、図６のものと同様にして複数の外装改修用治具Ａを既設折板５０の表面に設置した後、既設折板５０の上方に新設折板４４を配設する。また、新設折板４４は既設折板５０と同様に、その山部半体６２ａ、６２ｂ及び谷部６１の長手方向が屋根の傾斜方向と略平行になるように配設される。また、屋根の傾斜方向と直交方向する方向で隣接する新設折板４４は、一方の新設折板４４の山部半体６２ａと他方の新設折板４４の山部半体６２ｂとが接続されている。これらの山部半体６２ａ、６２ｂを接続するにあたっては、一方の山部半体６２ｂの被嵌合部６６の上部を吊子５１の突出片５７と係合片５８との間に挿入した後、これら被嵌合部６６の上部と吊子５１の突出片５７と係合片５８とに他方の山部半体６２ａの嵌合部６５を上側から被せ、この後、被嵌合部６６の上部と吊子５１の突出片５７と係合片５８とを締め付けるようにして嵌合部６５を変形させて馳折を形成する。このようにして吊子５１を介して外装改修用治具Ａに新設折板４４を固定して取り付けることができる。そして、既設折板５０で形成される既設屋根を複数の新設折板４４で形成される新設屋根で全面にわたって覆って見えないようにすることができ、劣化した既設折板５０を新設折板４４で改修することができる。
【００７５】
この実施の形態のように、既設折板５０と新設折板４４とは異なる形状のものを使用することができる。
【符号の説明】
【００７６】
Ａ  外装改修用治具
１  基台
２  固定部
３  係止部
１３  支持部
２６  補強部
３３  山部
４１  固定具
４４  新設折板
５０  既設折板
【図１】
2013167149.tif 000003
【図２】
2013167149.tif 000004
【図３】
2013167149.tif 000005
【図４】
2013167149.tif 000006
【図５】
2013167149.tif 000007
【図６】
2013167149.tif 000008
【図７】
2013167149.tif 000009
【図８】
2013167149.tif 000010
【図９】
2013167149.tif 000011
【図１０】
2013167149.tif 000012
【図１１】
2013167149.tif 000013
【図１２】
2013167149.tif 000014
【図１３】
2013167149.tif 000015
【図１４】
2013167149.tif 000016
【図１５】
2013167149.tif 000017
【図１６】
2013167149.tif 000018
【図１７】
2013167149.tif 000019
【図１８】
2013167149.tif 000020